(57)【要約】  本発明の一実施形態によれば、温度調節方法は予め記憶された情報で少なくとも一つ以上の気象要素情報に対応する空気調和機の設定温度の履歴情報を獲得する段階と、任意の時点に対する前記気象要素情報を獲得する段階と、前記獲得した設定温度の履歴情報及び前記獲得した気象要素情報に基づいて前記任意の時点に対する前記空気調和機の設定温度をスケジューリングする段階と、を含む。本発明の一実施形態によれば、在室者の選好度又は快適度の具現が容易にできる。  本発明は、センサーネットワーク(Ｓｅｎｓｏｒ Ｎｅｔｗｏｒｋ)、マシンツーマシン (Ｍａｃｈｉｎｅ ｔｏ Ｍａｃｈｉｎｅ、Ｍ２Ｍ)、ＭＴＣ(Ｍａｃｈｉｎｅ Ｔｙｐｅ Ｃｏｍｍｕｎｉｃａｔｉｏｎ) 及びモノのインターネット(Ｉｎｔｅｒｎｅｔ ｏｆ Ｔｈｉｎｇｓ、ＩｏＴ)のための技術に係る。本発明は、前記技術に基づく知能型サービス(スマートホーム、スマートビルディング、スマートシティ、スマートカー又はコネクテッドカー、ヘルスケア、デジタル教育、スマート小売り業、保安及び安全関連サービスなど)に活用されることができる。
2017529509.tif 000002
【特許請求の範囲】
【請求項１】
温度調節方法であって、
予め記憶された情報で少なくとも一つ以上の気象要素に対する気象要素情報に対応する空気調和機の設定温度の履歴情報を獲得する段階と、
任意の時点に対する前記気象要素情報を獲得する段階と、及び
前記獲得した設定温度の履歴情報及び前記獲得した気象要素情報に基づいて前記任意の時点に対する前記空気調和機の設定温度をスケジューリングする段階と、を含むことを特徴とする、温度調節方法。
【請求項２】
前記設定温度の履歴情報を獲得する段階は、
室内の設備に係る情報を考慮した前記設定温度の履歴情報を獲得することを特徴とする、請求項１に記載の温度調節方法。
【請求項３】
前記設定温度の履歴情報を獲得する段階は、
前記少なくとも一つ以上の気象要素情報に対応する空気調和機の設定温度値を獲得する時間区間に対する情報を受信する段階と、
前記時間区間の間の前記気象要素情報と前記気象要素情報に対応する少なくとも一つ以上の設定温度値を獲得する段階と、及び
前記獲得された気象要素情報に対応する少なくとも一つ以上の設定温度値の、前記気象要素情報による平均値を計算して前記設定温度の履歴情報を獲得する段階と、を含むことを特徴とする、請求項１に記載の温度調節方法。
【請求項４】
前記設定温度の履歴情報を獲得する段階は、
モード設定情報を受信する段階と、及び
前記モード設定情報に基づいて前記気象要素情報による設定温度の履歴情報を獲得する段階と、を含む、請求項１に記載の温度調節方法。
【請求項５】
前記気象要素情報を獲得する段階は、
情報提供サーバーから前記任意の時点に対する少なくとも一つ以上の時間別の気象要素情報を受信する段階を含むことを特徴とする、請求項３に記載の温度調節方法。
【請求項６】
前記スケジューリングする段階は、
前記獲得した空気調和機の設定温度の履歴情報及び前記受信した時間別の気象要素情報に基づいて各気象要素に対する時間別の空気調和機の設定温度値の平均値を獲得する段階と、及び
前記獲得した少なくとも一つ以上の各気象要素に対する時間別の空気調和機の設定温度値の平均値に基づいて前記スケジューリングのための時間別の設定温度を決定する段階と、を含むことを特徴とする、請求項５に記載の温度調節方法。
【請求項７】
前記スケジューリングのための時間別の設定温度を決定する段階は、
予め決定された各気象要素の加重値を考慮する段階を含むことを特徴とする、請求項６に記載の温度調節方法。
【請求項８】
前記各気象要素に対する時間別の空気調和機の設定温度値の平均値を獲得する段階は、
前記獲得した空気調和機の設定温度の履歴情報で、前記受信した任意の時点に対する少なくとも一つ以上の時間別の気象要素情報と同一の前記気象要素情報に対応する空気調和機の設定温度値の平均値を抽出する段階と、及び
前記各気象要素別の抽出段階での時間と前記平均値を対応させて前記各気象要素に対する時間別の空気調和機の設定温度値の平均値を獲得する段階と、を含むことを特徴とする、請求項６に記載の温度調節方法。
【請求項９】
前記気象要素情報に対応する設備設定の履歴情報を獲得する段階と、及び
前記獲得した設備設定の履歴情報及び前記獲得した気象要素情報に基づいて前記設備の設定をスケジューリングする段階と、を含むことを特徴とする、請求項１に記載の温度調節方法。
【請求項１０】
前記スケジューリングされた設備の設定に基づいて、前記スケジューリングされた空気調和機の設定温度を調整することを特徴とする、請求項９に記載の温度調節方法。
【請求項１１】
前記スケジューリングする段階は、
前記記憶した前記気象要素情報に対応する少なくとも一つ以上の設定温度値の分布情報を獲得する段階と、及び
前記分布情報を考慮して前記スケジューリングした設定温度を調整する段階と、
を含むことを特徴とする、請求項６に記載の温度調節方法。
【請求項１２】
前記調整する段階は、
前記獲得した任意の時点に対する前記気象要素情報のうちの室内温度情報が、前記獲得した時間別の空気調和機の設定温度値の平均値のうちの前記任意の時点での平均値より高い場合、前記任意の時点での平均値に前記分布情報を加えて調整する段階と、
前記獲得した任意の時点に対する前記気象要素情報のうちの室内温度情報が、前記獲得した時間別の空気調和機の設定温度値の平均値のうちの前記任意の時点での平均値より低い場合、前記任意の時点での平均値に前記分布情報を減らして調整する段階と、及び
前記調整された平均値に基づいて前記スケジューリングのための時間別の設定温度を決定する段階と、を含むことを特徴とする、請求項１１に記載の温度調節方法。
【請求項１３】
少なくとも一つ以上の装置を用いて一定の区域中にユーザがいるか否かを決定する段階と、及び
前記一定の区域中にユーザがいない時に、前記空気調和機の設定温度スケジューリングを予め定められたモードで転換する段階と、をさらに含むことを特徴とする、請求項１に記載の温度調節方法。
【請求項１４】
温度調節装置であって、
ユーザ機器又は室内設備と情報を受信又は送信する通信部と、及び
予め記憶された情報で少なくとも一つ以上の気象要素情報に対応する空気調和機の設定温度の履歴情報を獲得し、任意の時点に対する前記気象要素情報を獲得し、前記獲得した設定温度の履歴情報及び前記獲得した気象要素情報に基づいて前記任意の時点に対する前記空気調和機の設定温度をスケジューリングすることを制御する制御部と、を含むことを特徴とする、温度調節装置。
【請求項１５】
前記制御部は、
室内の設備に係る情報を考慮した前記設定温度の履歴情報を獲得することを特徴とする、請求項１４に記載の温度調節装置。
【請求項１６】
前記設定温度の履歴情報を獲得することは、
前記少なくとも一つ以上の気象要素情報に対応する空気調和機の設定温度値を獲得する時間区間に対する情報を受信し、前記時間区間の間の前記気象要素情報と前記気象要素情報に対応する少なくとも一つ以上の設定温度値を獲得し、前記獲得された気象要素情報に対応する少なくとも一つ以上の設定温度値の、前記気象要素情報による第２値を計算して前記設定温度の履歴情報を獲得することを含むことを特徴とする、請求項１４に記載の温度調節装置。
【請求項１７】
前記設定温度の履歴情報を獲得することは、
モード設定情報を受信し、前記モード設定情報に基づいて前記気象要素情報による設定温度の履歴情報を獲得することを含む、請求項１４に記載の温度調節装置。
【請求項１８】
前記気象要素情報を獲得することは、
情報提供サーバーから前記任意の時点に対する少なくとも一つ以上の時間別の気象要素情報を受信することを含むことを特徴とする、請求項１６に記載の温度調節装置。
【請求項１９】
前記スケジューリングすることは、
前記獲得した空気調和機の設定温度の履歴情報及び前記受信した時間別の気象要素情報に基づいて各気象要素に対する時間別の空気調和機の設定温度値の平均値を獲得し、前記獲得した少なくとも一つ以上の各気象要素に対する時間別の空気調和機の設定温度値の平均値を基づいて、前記スケジューリングのための時間別の設定温度を決定することを含むことを特徴とする、請求項１８に記載の温度調節装置。
【請求項２０】
前記スケジューリングのための時間別の設定温度を決定することは、
予め決定された各気象要素の加重値を考慮することを含むことを特徴とする、請求項１９に記載の温度調節装置。
【請求項２１】
前記各気象要素に対する時間別の空気調和機の設定温度値の平均値を獲得することは、
前記獲得した空気調和機の設定温度の履歴情報で、前記受信した任意の時点に対する少なくとも一つ以上の時間別の気象要素情報と同一の前記気象要素情報に対応する空気調和機の設定温度値の平均値を抽出し、前記各気象要素別の抽出段階での時間と前記平均値を対応させて前記各気象要素に対する時間別の空気調和機の設定温度値の平均値を獲得することを含むことを特徴とする、請求項１９に記載の温度調節装置。
【請求項２２】
前記制御部は、
前記気象要素情報に対応する設備設定の履歴情報を獲得し、前記獲得した設定履歴情報及び前記獲得した気象要素情報に基づいて前記設備の設定をスケジューリングすることを制御することを特徴とする、請求項１４に記載の温度調節装置。
【請求項２３】
前記スケジューリングされた設備の設定に基づいて、前記スケジューリングされた空気調和機の設定温度を調整することを特徴とする、請求項２２に記載の温度調節方法。
【請求項２４】
前記スケジューリングすることは、
前記記憶した前記気象要素情報に対応する少なくとも一つ以上の設定温度値の分布情報を獲得し、前記分布情報を考慮して前記スケジューリングした設定温度を調整することを含むことを特徴とする、請求項１９に記載の温度調節装置。
【請求項２５】
前記調整することは、
前記獲得した任意の時点に対する前記気象要素情報のうちの室内温度情報が、前記獲得した時間別の空気調和機の設定温度値の平均値のうちの前記任意の時点での平均値より高い場合、前記任意の時点での平均値に前記分布情報を加えて調整し、前記獲得した任意の時点に対する前記気象要素情報のうちの室内温度情報が、前記獲得した時間別の空気調和機の設定温度値の平均値のうちの前記任意の時点での平均値より低い場合、前記任意の時点での平均値に前記分布情報を減らして調整し、前記調整された平均値に基づいて前記スケジューリングのための時間別の設定温度を決定することを含むことを特徴とする、請求項２４に記載の温度調節装置。
【請求項２６】
前記制御部は、
少なくとも一つ以上の装置を用いて一定の区域中にユーザがいるか否かを決定し、前記一定の区域中にユーザがいない時に、前記空気調和機の設定温度スケジューリングを予め定められたモードで転換することを制御することを特徴とする、請求項１４に記載の温度調節装置。
【発明の詳細な説明】
【技術分野】
【０００１】
本発明は、温度調節に関し、より具体的に室内温度をスケジューリングして温度を調節する方法及び装置に関する。
【背景技術】
【０００２】
インターネットは人間が情報を生成して消費する人間中心の連結網から事物などの分散した構成要素の間に情報を取り交わして処理するＩｏＴ(Ｉｎｔｅｒｎｅ ｔｏ ｆＴｈｉｎｇｓ、モノのインターネット)網に進化しつつある。クラウドサーバーなどとの接続を通じるビックデータ(Ｂｉｇ ｄａｔａ)処理技術などがＩｏＴ技術に結合されたＩｏＥ(Ｉｎｔｅｒｎｅｔ ｏｆ Ｅｖｅｒｙｔｈｉｎｇ)技術も現れている。ＩｏＴを具現するためにセンシング技術、有無線通信及びネットワークインフラ、サービスインターフェース技術、及び保安技術のような技術要素が求められ、近年には事物間の接続のためのセンサーネットワーク(ｓｅｎｓｏｒ ｎｅｔｗｏｒｋ)、マシンツーマシン(Ｍａｃｈｉｎｅ ｔｏ Ｍａｃｈｉｎｅ、Ｍ２Ｍ)、ＭＴＣ(Ｍａｃｈｉｎｅ Ｔｙｐｅ Ｃｏｍｍｕｎｉｃａｔｉｏｎ)などの技術が研究されている。
【０００３】
ＩｏＴ環境では接続された事物から生成されたデータを収集、分析して人間の生活に新しい価値を創出する知能型ＩＴ(Ｉｎｔｅｒｎｅｔ Ｔｅｃｈｎｏｌｏｇｙ)サービスが提供されることができる。ＩｏＴは既存のＩＴ(ｉｎｆｏｒｍａｔｉｏｎ ｔｅｃｈｎｏｌｏｇｙ)技術と多様な産業の間の融合及び複合を通じてスマートホーム、スマートビルディング、スマートシティ、スマートカー又はコネクテッドカー、スマートグリッド、ヘルスケア、スマート家電、先端医療サービスなどの分野に応用されることができる。
【０００４】
一方、従来の温度調節装置は単純にユーザから設定温度情報をリアルタイムに受信し、前記受信した設定温度情報と現在の室内温度を比べて温度調節装置の作動可否を決定することによって室内温度を調節する。
【０００５】
上述した情報は、ただ本明細書の理解を助けるための背景技術情報で存在する。上述したものなかのいずれも本明細書の開示と関連して先行技術として適用されることができるかに関してはどんな決定も下ろされないか、又はどんな主張も申し立てられない。
【発明の概要】
【発明が解決しようとする課題】
【０００６】
前述したように、従来の温度調節装置ではユーザは快適を感じないたびごとに、前記の設定温度を繰り返して入力しなければならないところ、ユーザは不便であり、快適さが保障されなかった。
【０００７】
そこで、気象要素情報と連係したユーザの設定温度の履歴情報の獲得を通じて気象要素の条件によって空気調和機の設定温度をスケジューリングする温度調節方法及び装置が必要である。
【課題を解決するための手段】
【０００８】
本発明の態様は、少なくとも前述した問題点及び／又は欠点を解消し、後述する利点を提供するものである。従って、本発明の目的は、気象要素情報と連係したユーザの設定温度の履歴情報の獲得を通じて気象要素の条件により空気調和機の設定温度をスケジューリングする温度調節方法及び装置を提供することにある。
【０００９】
本発明の実施形態による温度調節方法は、少なくとも一つ以上の気象要素情報に対応する空気調和機の設定温度の履歴情報を獲得する段階と、任意の時点に対する前記気象要素情報を獲得する段階と、前記獲得した設定温度の履歴情報及び前記獲得した気象要素情報に基づいて前記任意の時点に対する前記空気調和機の設定温度をスケジューリングする段階と、を含む。
【００１０】
本発明の実施形態による温度調節装置は、少なくとも一つ以上の気象要素情報に対応する空気調和機の設定温度の履歴情報を獲得し、任意の時点に対する前記気象要素情報を獲得し、前記獲得した設定温度の履歴情報及び前記獲得した気象要素情報に基づいて前記任意の時点に対する前記空気調和機の設定温度をスケジューリングすることを制御する制御部と、を含む。
【発明の効果】
【００１１】
本発明の実施形態によれば、温度調節装置は、気象要素情報と連係した設定温度の履歴情報を獲得することによって気象要素情報と設定温度の相関分析をすることができる。前記相関分析を用いた空気調和機の設定温度スケジューリングを通じて気象要素情報の変化に対応し、ユーザが空気調和機の設定温度を繰り返して調整しなければならない不便無しに在室者の快適さを向上させることができる。
【図面の簡単な説明】
【００１２】
【図１】本発明の実施形態による室内温度調節システムを示す構成図である。
【図２】本発明の実施形態による温度調節方法の過程を示すフローチャートである。
【図３】本発明の実施形態による図２のＳ２００を具体化して設定温度の履歴情報を獲得することを説明したフローチャートである。
【図４】本発明の実施形態による獲得した設定温度情報を示す例示図である。
【図５】本発明の実施形態による図２のＳ２２０を具体化して空気調和機の設定温度をスケジューリングすることを説明したフローチャートである。
【図６】本発明の実施形態によるスケジューリングした設定温度を調整することを例示する例示図である。
【図７】本発明の実施形態による室内設備制御を通じる温度調節方法の過程を示す例示図である。
【図８】本発明の実施形態による在／不在検出技術を例示する例示図である。
【図９】本発明の実施形態による温度調節装置の内部構造を示すブロック図である。
【発明を実施するための形態】
【００１３】
添付された図面を参照する以下の説明は請求範囲及びこの等価物により定義される本発明の多様な実施形態の包括的な理解を助けるために提供される。このような理解を助けるために多様な特定詳細事項を含むが、これらはただ例示的なもので見なされなければならない。したがって、本技術分野の通常の技術者は本明細書に説明された多様な実施形態の多様な変更及び修正が本発明の範囲及び思想から逸脱せず成ることができるということを認識するだろう。さらに、公知された機能及び構成に対する説明は明確性及び簡潔性のために省略されることができる。
【００１４】
次の説明及び請求範囲で用いられた用語及び単語は書誌意味に限定されず、ただ発明者によって本発明の明確で一貫性ある理解ができるようにするために用いられる。したがって、本発明の多様な実施形態に対する次の説明は添付された請求範囲及びこの等価物によって定義されるように本発明を制限するためではなく、ただ例示のために提供されるということが本技術分野の技術者には明白ではなければならない。
【００１５】
単数形態“ａ”、“ａｎ”及び“ｔｈｅ”は文脈がはっきり異なり指示しなければ複数の指示ターゲットを含むことに理解されなければならない。したがって、例えば、“構成要素表面(ｃｏｍｐｏｎｅｎｔｓｕｒｆａｃｅ)”に対する参照物はこのような表面中の１つ以上に対する参照物を含む。
【００１６】
本発明で使用される用語は、本開示の特定の様々な実施形態を説明するために使用され、本開示内容を限定しようとするものではない。
【００１７】
用語“実質的に”によって、列挙された特性、パラメーターまたは値は正確に達成される必要がないが、例えば、許容誤差、測定誤差、測定正確性限界及び本技術分野の技術者に知られた他の要因を含むという偏差または変形は特性が提供するように意図された効果を邪魔しない量で発生することができるということで意味される。
【００１８】
図１は、本発明の実施形態による温度調節システムを示す構成図である。
【００１９】
図１を参照すると、前記温度調節システムは、温度調節装置１００、一つ以上のユーザ機器１１０、室内温度に影響を及ぼす室内設備１２０又は外部サーバー１３０を含むことができる。
【００２０】
前記温度調節装置１００は、一つ以上の室内設備１２０及びユーザ機器１１０と通信し、前記設備１２０の動作を中央制御する。より具体的に、温度調節装置１００は入力されたユーザ設定情報と外部サーバー１３０から受けた気象要素情報を用いて空気調和機の室内設定温度をスケジューリングすることができ、室内設備１２０の設定をスケジューリングすることができる。前記温度調節装置１００は、ユーザ設定情報をユーザ機器１１０から受信することができる。また、温度調節装置１００は前記スケジューリングに基づいて前記設備１２０に含まれた空気調和機、照明又はブラインドなどを制御することができる。
【００２１】
前記‘ユーザ設定情報’は、過去にユーザが時間により設定した温度情報に対する記録であることができる。前記‘気象要素’は、外部サーバー１３０から受信されたスケジューリングしようとする任意の日付の気象要素予測情報であることができる。前記外部サーバー１３０は、気象要素情報を提供するサーバーを含むことができる。前記外部サーバーは気象庁などのサーバーを含むことができる。
【００２２】
前記ユーザ機器１１０は、前記温度調節装置１００と接続されて温度調節装置にユーザ設定情報を入力することができる。前記ユーザ機器１１０は、現在の温度調節装置１００の状態を示す表示部を含むことができる。また、前記表示部は、ユーザが指又はタッチペンなどで情報を入力することができるタッチパッドを含むことができる。また、前記ユーザ機器１１０は、前記温度調節装置１００と接続されてユーザが室内の在／不在可否を検出するようにできる。前記ユーザ機器１１０は、スマートフォーンを含むモバイルデバイス又はｗｅａｒａｂｌｅ ｄｅｖｉｃｅ(着用する電子機器)を含むことができる。前記ｗｅａｒａｂｌｅ ｄｅｖｉｃｅは、ユーザ身体に付着してユーザの情報を温度調節装置に伝達する役目をすることができる。前記ｗｅａｒａｂｌｅ ｄｅｖｉｃｅは、メガネ付着型、ブレスレット型、アームバンド型、ペンダント型などの形態であることができる。
【００２３】
前記ユーザ機器１１０と前記温度調節装置１００の間の接続は近距離無線通信であることができる。前記近距離無線通信はブルートゥース(登録商標)(Ｂｌｕｅｔｏｏｔｈ(登録商標))、ＷＩＦＩ、ＷＩＦＩ-Ｄｉｒｅｃｔ、Ｚｉｇｂｅｅ又はＮＦＣを含むことができる。前記ユーザ機器１１０は近距離コードレス通信を通じてユーザ機器１１０で設定した設定情報を前記温度調節装置１００へ送信することができる。
【００２４】
また、前記温度調節装置１００は、前記近距離無線通信の接続が切られたか否か、もしくはユーザ機器１１０と前記温度調節装置１００との距離情報を用いてユーザの室内在／不在可否を検出することができる。
【００２５】
前記室内設備１２０は、室内に設置された電力消耗装置として、例えば、空気調和機、マルチエアコン、ＨＶＡＣ(Ｈｅａｔｉｎｇ、Ｖｅｎｔｉｌａｔｉｏｎ、Ａｉｒ Ｃｏｎｄｉｔｉｏｎｉｎｇ)、照明、冷凍機、センサー、ポンプ、ファン、ボイラー、ブラインダー及び窓の制御設備などを含むことができる。前記温度調節装置１００は、前記室内設備１２０中の一つ以上の設備と通信し、前記設備１２０の動作制御をスケジューリングして前記スケジューリングによって前記設備を制御することができる。
【００２６】
前記温度調節装置１００は、前記設備１２０の装置情報、運行情報、周辺環境状態情報及びユーザの設定情報を総合的に考慮して前記空気調和機の設定温度又は前記設備の作動をスケジューリングすることができる。前記温度調節装置１００は、前記設備１２０に係る情報及び周辺環境状態情報及びユーザの設定情報を前記外部サーバー１３０及びユーザ機器１１０から受信することができる。また、前記温度調節装置１００は、前記設備に対する作動スケジューリングに基づいて前記１つ以上の設備の作動を制御することができる。
【００２７】
前記‘装置情報’は、室内設備１２０の種類、例えば、前記空気調和機、ブラインダー及び窓の制御設備、照明のような装置の種類と、室内設備１２０の設置位置、設置時期、製品固有番号などのように設備１２０自体に対する情報をいずれも含むことができる。また、前記装置情報には前記室内設備のうちの家電機器の発熱量などを含むことができる。また、前記 ‘運行情報’は、例えば、設備１２０の運転状態、又はユーザ、設備位置、もしくは当該領域による設備１２０の運行パターン、一定期間の間の運行履歴をいずれも含むことができる。
【００２８】
前記温度調節装置１００は、前記外部サーバー１３０から温度調節のための情報を獲得することができる。前記温度調節のための情報には前記周辺環境状態情報を含むことができる。前記外部サーバー１３０は情報提供サーバーを含むことができる。前記‘周辺環境状態情報’は、気象要素情報と人為的環境状態情報をいずれも含むことができる。気象要素は温度、湿度、日照量、放射熱、気流又は風速のうちの少なくともいずれか一つを含むことができる。前記 ‘気象要素情報’は前記気象要素の値を含むことができる。例えば、前記気象要素が温度と仮定すると、気象要素情報は９℃、６０°Ｆとなることができる。任意の時点での気象要素情報は本発明が属する技術分野で一般的に気象庁で提供される任意の時点、例えば、明日又は一週間後、の気象予報を通じて獲得することができる。現在時点の気象要素情報は温度調節装置内部のセンサーを通じて獲得することができる。前記人為的環境状態情報はユーザの在室可否、空間の特性、在室者の特性を含むことができる。前記温度調節装置１００は前記ユーザ機器１１０を通じて前記人為的環境状態情報を受信することができる。
【００２９】
図２は、本発明の実施形態による温度調節方法の過程を示すフローチャートである。
【００３０】
図２を参照すると、温度調節装置１００はＳ２００段階で少なくとも一つ以上の気象要素情報に対応する空気調和機の設定温度の履歴情報を獲得することができる。前記気象要素は温度、湿度、日照量、放射熱、気流又は風速のうちの少なくともいずれか一つを含むことができる。前記空気調和機は前記室内設備１２０に含まれる。前記空気調和機は温度調節装置１００から前記設定温度スケジューリングに基いた制御情報を受信することができる。前記空気調和機は前記受信した制御情報によって室内温度を制御することができる。前記空気調和機は中央熱源装置から供給された冷水を用いて外気を除湿及び冷却する外気冷却用コイルを含むことができる。前記空気調和機は中央熱源装置から供給された冷水を用いて室内の換気の照明、ОＡ機器、人体などから発生した熱を冷却する換気冷却用コイルを含むことができる。前記空気調和機は外気冷却用コイルにより冷却した外気と換気冷却用コイルにより冷却された換気を混合した空気を各室内に送風する送風ファンを含むことができる。
【００３１】
前記‘気象要素情報’は前記気象要素の具体的な値を含むことができる。前記‘気象要素情報に対応する空気調和機の設定温度の履歴情報’とは、過去の任意の時点で各気象要素情報の条件である時、ユーザが設定した温度値の記録に基づいて生成された設定温度の履歴情報を意味することができる。すなわち、前記気象要素情報に対応する空気調和機の設定温度の履歴情報は前記設定温度の履歴情報を獲得する過程で前記気象要素情報とユーザが設定した温度値の相関分析を含むことができる。例えば、前記気象要素が外部温度の場合を仮定すると、前記気象要素情報に対応する空気調和機の設定温度の履歴情報は外部温度２８度に対応する設定温度は２３度、外部温度２９度に対応する設定温度は２２度、外部温度３０度に対応する設定温度は２１度である情報を含むことができる。前記空気調和機の設定温度の履歴情報を獲得する過程は図３で説明する。
【００３２】
また、前記温度調節装置１００は、設定温度の履歴情報を獲得するにおいて、室内設備の装置情報をさらに考慮することができる。すなわち、前記温度調節装置１００は、室内設備の種類などをさらに考慮して予め記憶された情報で設定温度の履歴情報を獲得することができる。現在時点での窓の材質の種類又はブラインダーの設置可否を考慮して空気調和機の温度を制御するために、前記条件による‘気象要素情報に対応する空気調和機の設定温度の履歴情報’を獲得することができる。これにより現在の室内設備の条件に符合する設定温度の履歴情報を獲得することができ、室内設備と連動された温度調節が可能である。例えば、現在ブラインダーが設置されている場合、ブラインダーが設置された場合の設定温度の履歴情報を獲得することができることと同様である。もし、予め記憶された情報で現在時点に対応する条件の設定温度の履歴情報が存在しない場合、追加的に空気調和機を運行した設定温度の履歴情報を前記条件に対する情報と共に記憶し、以後時点での空気調和機の温度を制御するのに使用することができる。
【００３３】
温度調節装置１００は、Ｓ２１０段階で任意の時点に対する前記気象要素情報を獲得する。前記‘任意の時点’は温度を調節するために設定温度をスケジューリングしようとする到来する日付を含むことができる。前記任意の時点は、例えば、明日を含むことができる。前記任意の時点は外部サーバーから気象要素情報が提供されることができる日付を含むことができる。
【００３４】
前記気象要素情報の獲得は情報提供サーバーから気象要素に対する情報を受信することを含むことができる。前記情報提供サーバーは一般的に気象庁サーバーを含むことができる。前記外部サーバー１３０は前記情報提供サーバーを含むことができる。気象要素は温度、湿度、日照量、放射熱、気流又は風速のうちで少なくとも一つを含むことができる。前記‘任意の時点に対する気象要素情報’は一般的な技術分野で気象庁から提供される任意の時点、例えば、明日又は一週間後、の気象予報を含むことができる。
前記任意の時点に対する気象要素情報は任意の時点に対する少なくとも一つ以上の時間別の気象要素情報を含むことができる。前記時間別の気象要素情報は横軸を時間として縦軸を前記気象要素とするグラフを含むことができる。例えば、気象要素が温度と仮定する場合、前記時間別の気象要素情報は時間による温度変化を予測したグラフであることができる。
【００３５】
温度調節装置１００は、Ｓ２２０で前記空気調和機の設定温度をスケジューリングする。温度調節装置１００は前記獲得した空気調和機の気象要素による設定温度の履歴情報及び前記獲得した時間別の気象要素情報に基づいて前記空気調和機の設定温度をスケジューリングする。前記スケジューリングに対する過程は図５で後述する。
【００３６】
図３は、本発明の実施形態による図２のＳ２００段階を具体化して設定温度の履歴情報を獲得することを説明したフローチャートである。
【００３７】
より具体的に、図３は前記温度調節装置１００が少なくとも一つ以上の気象要素情報に対応する空気調和機の設定温度の履歴情報を獲得する過程を示す。
【００３８】
温度調節装置１００は、Ｓ３００段階で前記少なくとも一つ以上の気象要素情報に対応する空気調和機の設定温度値を獲得する時間区間に対する情報を受信する。前記時間区間に対する情報はユーザが設定温度をスケジューリングしようとする時間を考慮し、前記ユーザ機器１１０を通じて前記温度調節装置１００に入力することができる。すなわち、ユーザは温度調節装置１００によって自動で設定温度をスケジューリングしようとする時間区間に対する情報を入力することができる。例えば、前記時間区間に対する情報は‘午前１０時から午後８時’と入力されることができる。
【００３９】
又は、前記時間区間に対する情報はユーザが設定温度をスケジューリングしようとする到来する日付に対する情報に基づいて決定されることができる。例えば、ユーザが‘９月２７日’に設定温度をスケジューリングしようとする場合、８月乃至１０月の設定温度の履歴情報で少なくとも一つ以上の気象要素情報に対応する空気調和機の設定温度値を獲得することができる。温度調節装置１００はＳ３１０段階で前記時間区間の間の前記気象要素情報と前記気象要素情報に対応する少なくとも一つ以上の設定温度値を記憶する。例えば、ユーザが前記時間区間に対する情報を午前１０時から午後６時と設定したと仮定する。前記気象要素は外部温度と仮定する。この場合、温度調節装置１００は予め記憶された情報で前記時間区間の間の測定された外部温度を記憶して記憶した外部温度でユーザが設定した温度値を共に記憶する。
【００４０】
また、ユーザは前記ユーザ機器１１０を通じて前記温度調節装置１００に気象要素情報に対応する設定温度値を予め入力することができる。例えば、外部温度が３０度である場合、ユーザが設定温度を２０度と設定、外部温度が３２度である場合、ユーザが設定温度を１９度と設定すると、各外部温度情報とここに対応する設定温度を記憶する。
【００４１】
前記仮定と同様に気象要素が湿度、日照量、放射熱、気流又は風速の場合に対しても前記時間区間の間の測定された気象要素情報と気象要素情報に対応する少なくとも一つ以上の設定温度値を記憶することができる。前記情報は表を生成して記憶されることができ、記憶した気象要素と同一の個数の表が記憶されることができる。また、横軸を前記気象要素情報として縦軸を前記設定温度とし、前記記憶された情報を点グラフで表示することができる。
【００４２】
また、前記温度調節装置１００は、設定温度の履歴情報を獲得するにおいて、室内設備の装置情報をさらに考慮することができる。すなわち、室内設備の装置情報に含まれた条件による気象要素情報に対応する設定温度値を記憶することができる。例えば、ブラインドがある時とない時の電気要素に対応する設定温度値を記憶することができる。さらに、ブラインドが開放されている時と閉鎖されている時の気象温度に対応する設定温度値を記憶することができる。
【００４３】
温度調節装置１００は、Ｓ３２０段階で前記記憶された気象要素情報に対応する少なくとも一つ以上の設定温度値の、前記気象要素情報による平均値を計算して前記設定温度の履歴情報を獲得することができる。前記平均値は前記設定温度値の特性を表わす値であることを特徴とすることができる。例えば、前記気象要素情報を外部温度と仮定すると、前記外部温度が２５度である時、前記獲得した設定温度値が１８度、１９度、２０度と仮定すると、前記外部温度が２５度である時の平均値は１９度である。前記のように気象要素情報である外部温度による平均値の集合を前記設定温度の履歴情報と言える。
【００４４】
また、前記設定温度の履歴情報は表を生成して記憶されることができ、記憶した気象要素と同じ個数の表が記憶されることができる。また、横軸を前記気象要素情報として縦軸を前記設定温度とし、線グラフで図示することができる。前記線グラフで図示することは‘気候対温度のモデリング’(ｗｅａｔｈｅｒ ｔｏ ｔｅｍｐｅｒａｔｕｒｅ ｍｏｄｅｌｉｎｇ、Ｗ２Ｔ Ｍｏｄｅｌｉｎｇ)ということができる。前記説明した獲得方法により獲得した気象要素情報に対応する空気調和機の設定温度値及び設定温度の履歴情報は図４に例示されている。
【００４５】
図４は、本発明の実施形態による獲得した設定温度情報を示す例示図である。
【００４６】
前記図４は横軸を外部温度とし、縦軸を設定温度とする点及び線グラフである。前記点グラフは前記獲得した設定温度値を示し、前記線グラフは前記平均値を計算して獲得した設定温度の履歴情報を示す。
【００４７】
前記設定温度の履歴情報は前記気象要素情報とユーザが設定した温度値の相関分析情報を示すことができる。したがって、温度調節装置１００は前記設定温度の履歴情報を用いて気象要素情報の変化に対応してユーザが設定温度を変更しなければならない不便無しに空気調和機の設定温度を調整することができる。
【００４８】
以下では前記設定温度の履歴情報を獲得する段階において、ユーザが設定したモード別で設定温度の履歴情報を獲得することに対して説明する。温度調節装置は前記Ｓ３００段階で設定温度値を獲得する時間区間に対する情報と共に前記ユーザが設定したモード情報を受信することができる。ユーザは前記時間区間に対する情報と同様にユーザ機器１００を通じて前記モード情報を入力することができる。前記モード情報は気象要素情報に含まれないがユーザの温度設定に影響を及ぼす前記人為的環境状態に係ることができる。前記モードは例えば、就寝モード、乳児モード、老弱者モード、妊婦モード、エネルギー節減モードなどを含むことができる。すなわち、ユーザが前記モード情報を入力したら、前記モードに係る人為的環境状態情報に符号される設定温度の履歴情報を獲得することができる。前記ユーザ機器１００の表示部には前記モードが表示されることができる。ユーザは指又はタッチペンを用いて前記表示部で前記モードを選択してモード情報を入力することができる。
【００４９】
例えば、ユーザが乳児モードを選択して入力したと仮定して説明する。この場合、前記温度調節装置は、予め記憶された情報で在室者特性に関する情報に乳児を含む日に限って設定温度値を獲得することができる。ユーザは過去に前記入力された時間区間の間の乳児と共に在室している状態を考慮して前記設定温度値を平素より高いか低く入力したはずで、前記獲得した設定温度値にはこのような在室者特性が反映されている。温度調節装置１００はＳ３１０段階で前記設定したモード情報を共に考慮し、前記気象要素情報に対応する少なくとも一つ以上の設定温度値を獲得して記憶することができる。また、温度調節装置１００はＳ３２０段階で前記記憶された気象要素情報に対応する少なくとも一つ以上の設定温度値の、前記気象要素情報による平均値を計算することができる。
【００５０】
また、前記言及したように追加的に室内設備の装置情報をさらに考慮した設定温度の履歴情報を生成することができる。前記のような方法で気象要素情報だけではなく気象要素情報に含まれないがユーザの室内温度設定に影響を及ぼす人為的環境状態を反映した設定温度の履歴情報を生成することができる。これによりユーザの設定温度スケジューリングに対する選好度及び室内の快適度を向上させることができる。
【００５１】
図５は、本発明の実施形態による図２のＳ２２０を具体化して空気調和機の設定温度をスケジューリングすることを説明したフローチャートである。
【００５２】
より具体的に、図５は、前記温度調節装置１００が前記獲得した設定温度の履歴情報及び前記獲得した気象要素情報に基づいて任意の時点に対する前記空気調和機の設定温度をスケジューリングする過程を示すフローチャートである。
【００５３】
Ｓ５００段階で温度調節装置１００は前記獲得した空気調和機の‘設定温度の履歴情報’及び前記受信した‘時間別の気象要素情報’に基づいて‘各気象要素に対する時間別の空気調和機の設定温度値の平均値’を獲得することができる。より具体的に、温度調節装置１００は前記獲得した空気調和機の設定温度の履歴情報で、前記受信した任意の時点に対する少なくとも一つ以上の時間別の気象要素情報と同一の前記気象要素情報による空気調和機の設定温度値の平均値を抽出することができる。そして、前記抽出段階での前記時間と前記平均値を対応させて前記各気象要素に対する時間別の空気調和機の設定温度値の平均値を獲得することができる。
【００５４】
前記温度調節装置１００は前記抽出を各気象要素によってすることができる。例えば、気象要素が外部温度の場合、湿度の場合、日照量である場合、それぞれの抽出をすることができる。前記抽出によって結果的に時間別の空気調和機の設定温度値の平均値を抽出することができる。
【００５５】
例えば、前記設定温度の履歴情報での気象要素が外部温度の場合を仮定して説明する。前記時間別の外部温度情報のうちの午前９時である時、外部温度が２５度と仮定する。前記設定温度の履歴情報のうちの外部温度が２５度である時、前記設定温度値の平均値は２２度と仮定する。前記仮定した２つの情報によって午前９時である時の設定温度値の平均値を２２度で獲得することができる。前記方法と同様に午前９時１分、２分、３分、… による平均値を連続的に獲得することができる。
【００５６】
また、前記抽出は関数を通じる計算を用いることができる。例えば、前記設定温度の履歴情報をｙ＝ｆ(ｘ)、(ｘ：気象要素情報、ｆ(ｘ)：設定温度値の平均値)である関数で表わすと仮定する。また、前記時間別の気象要素情報をｙ＝ｇ(ｘ)、(ｘ：時間、ｇ(ｘ)：気象要素情報)である関数で表わすと仮定する。この場合、前記抽出はｙ＝ｆ(ｇ(ｘ))である関数の計算で可能である。前記仮定と同様に湿度、日照量などに対する時間別の設定温度値の平均値をそれぞれ抽出することができ、これはそれぞれの関数の計算で抽出されることができる。
【００５７】
Ｓ５１０段階で温度調節装置１００は前記獲得した少なくとも一つ以上の各気象要素に対する時間別の空気調和機の設定温度値の平均値に基づき、前記スケジューリングのための時間別の設定温度を決定することができる。前記気象要素情報による空気調和機の設定温度値の平均値は温度、湿度、日照量など各気象要素別の獲得されることができる。温度調節装置１００は前記各気象要素に対する時間別の空気調和機の設定温度値の平均値を、予め定められた気象要素の加重値を考慮して統合して前記時間別の空気調和機の設定温度を決定することができる。前記気象要素の加重値は、ユーザの設定によって入力されることができる。ユーザは前記ユーザ機器１１０を通じて前記気象要素の加重値を入力することができる。前記気象要素の加重値は気象要素が設定温度に及ぶ影響力に関する情報に基づいて設定されることができる。前記気象要素が設定温度に及ぶ影響力に関する情報は前記温度調節装置１００が前記外部サーバー１３０から受信することができる。前記のようにユーザが設定したり前記影響力に関する情報に基づいて設定された前記加重値を用いて設定温度をスケジューリングすることによって、よりユーザの選好度をさらに反映した設定温度をスケジューリングして在室者の快適度を高めることができる。
【００５８】
前記加重値は各気象要素別の加重値の合を１と定めたことを基準で各気象要素に割り当てられることができる。任意の時間での空気調和機の設定温度は以下の数式１で導出されることができる。
【００５９】
【数１】
2017529509.tif 000003
【００６０】
前記過程を例えて説明する。例えば、時間別の空気調和機の設定温度を決定するに当り、前記数式を用いて任意の時間で午前９時の設定温度を決定することを仮定する。Ｓ５００段階で、外部温度に対する設定温度値の平均値は２３度、内部温度に対する設定温度値の平均値は２５度、湿度に対する設定温度値の平均値は２０度と仮定する。また、外部温度に対する加重値は０．４、内部温度に対する加重値は０．４、湿度に対する加重値は０．２と仮定する。前記数式に代入して計算すると、午前９時の空気調和機の設定温度は２３．３度となることができる。
【００６１】
前記のような方式で任意の時間に対して連続で求めた設定温度を持ち、時間別の空気調和機の設定温度を決定することができる。前記各気象要素に対する時間別の空気調和機の設定温度値の平均値は時間に対する関数で与えられることができる。前記平均値が時間に対する関数で与えられた場合にも、前記数式１に同様に代入して時間別の空気調和機の設定温度を決定することができる。
【００６２】
ただ、前記温度調節装置１００は、前記のように時間別の設定温度を決定し、空気調和機の設定温度をスケジューリングした場合と言っても、ユーザから現在の設定温度情報が入力される場合であれば優先的にユーザが入力した現在の設定温度情報を考慮して空気調和機を制御することができる。前記ユーザから現在の設定温度情報が入力されることは前記ユーザ機器１１０を通じたことを含む。又は、ユーザは温度調節装置１００の表示部のタッチパッドを通じて前記設定を入力することができる。したがって、ユーザはスケジューリングされた設定温度以外の温度も室内温度を設定することができるようになり、これにより前記温度調節装置１００は即刻的にユーザが好む設定温度を反映することができ、結果的にユーザの快適さが向上することができる。
【００６３】
また、追加的に、前記のように時間別の設定温度を決定して空気調和機の設定温度をスケジューリングした以後、室内設備の装置情報を考慮し、これを調整して空気調和機を制御することができる。すなわち、室内設備中の家電機器の発熱量、制御情報、又は運行情報などを考慮して前記空気調和機の設定温度を調整してスケジューリングすることができる。例えば、前記運行情報に含まれた設備の運行履歴情報などを考慮し、室内設備中の発熱量が高い家電機器が運行される時間帯と予想される場合、前記スケジューリングした設定温度をより低く調整することができる。
【００６４】
図６は、本発明の実施形態によるスケジューリングした設定温度を調整することを例示する例示図である。
【００６５】
前記温度調節装置１００は、図５のように時間別の空気調和機の設定温度を決定した後、エネルギー節減などの必要によって設定温度を調整することができる。ただ、前記温度調節装置１００はユーザの快適度の低下を避けるためにＳ３１０段階で記憶した前記気象要素情報に対する設定温度値を用いることができる。前記温度調節装置１００は前記獲得した気象要素情報に対する設定温度値の分布程度を獲得することができる。前記分布程度は同一の気象要素情報の条件で設定温度変動の統計的分析を通じてユーザが温度変化を認知することができない(ｓｅａｍｌｅｓｓ)範囲を反映して決定する。前記分布程度は、例えば、標準偏差、平均偏差、四分位偏差に基づいたものであることができる。
【００６６】
前記分布程度は標準偏差に基づくものと仮定して説明する。前記標準偏差は統計集団の単位の計量的特性値に関する‘散らばっている程度’を表わす度数特性値を言う。標準偏差が大きいほど前記獲得した気象要素情報に対する設定温度値のうちには平均から離れた値が多数存在する。逆に観測値が平均に集まっていると前記標準偏差値は小さくなる。前記標準偏差は以下のような数式２によって導出されることを特徴とする。
【００６７】
【数２】
2017529509.tif 000004
【００６８】
前記獲得した気象要素情報に対する設定温度値の平均値に対して上下で標準偏差位の範囲内では在室者が温度変化を認知することができない範囲であることができる。前記温度変化を認知することができない範囲は在室者が快適と感じる温度範囲であることができる。
【００６９】
前記温度調節装置１００は、前記導出した分布程度を考慮して前記スケジューリングした設定温度を調整する。先ず、前記温度調節装置１００は前記導出した分布程度を考慮して各気象要素に対する時間別の設定温度値の平均値を調整する。以下では分布程度を標準偏差と仮定したことによって説明する。前記温度調節装置１００は前記獲得した任意の時点に対する任意の時間の前記気象要素情報のうちの室内温度情報が、前記獲得した時間別の設定温度値の平均値の中で前記任意の時点での任意の時間の平均値より高い場合(すなわち、冷房中の場合を意味する)、前記同一時点の平均値に前記標準偏差を加えて調整することができる。反対に、前記温度調節装置１００は前記獲得した任意の時点に対する任意の時間の前記気象要素情報のうちの温度情報が前記獲得した時間別の設定温度値の平均値のうちの前記任意の時点での任意の時間の平均値より低い場合(すなわち、暖房中の場合を意味する)、前記同一時点の平均値に前記標準偏差を減らして調整することができる。
【００７０】
前記温度調節装置１００は前記調整された平均値に基づいてＳ５１０段階と同様に空気調和機設定温度をスケジューリングする。前記温度調節装置１００は前記スケジューリングした空気調和機設定温度を気象要素に基づいたユーザ設定温度値の変化に対する相関数値である分布程度を用いて調整することによって、ユーザの快適さを維持しながらエネルギー節減の効果を導出することができる。
【００７１】
図７は、本発明の実施形態による室内設備制御を通じる温度調節方法の過程を示す例示図である。
【００７２】
前記温度調節装置１００はユーザが予め設定した時間区間の間の前記室内設備に対する前記気象要素別の設備設定履歴情報を獲得することができる。前記室内設備はブラインダー、窓又は照明のうちの少なくともいずれか一つを制御可能なことを含むことができる。前記温度調節装置１００は前記気象要素別の設備設定履歴情報を前記気象要素別の設定温度の履歴情報を獲得することと同様の方法で獲得することができる。前記時間区間の間の前記気象要素情報と前記気象要素情報に対応する設備設定を記憶することができる。前記温度調節装置１００は前記記憶した情報に基づいて設備設定を変更する気象要素情報のしきい値を導出することができる。前記設備設定の履歴情報は前記しきい値を含むことができる。
【００７３】
前記温度調節装置１００は、前記獲得した設備設定の履歴情報及び前記獲得した気象要素情報に基づいて前記設備の設定をスケジューリングすることができる。前記設備設定のスケジューリングは前記空気調和機の設定温度のスケジューリングと類似の方法に行われることができる。先ず、温度調節装置１００は、記獲得した時間別の気象要素情報と、前記獲得した気象要素情報による設備設定の履歴情報に含まれた設備設定を変更する気象要素情報のしきい値を比べて気象要素による時間別の設備設定を決定することができる。
【００７４】
前記温度調節装置１００は、気象要素による時間別の設備設定の決定が気象要素別の相反する時には予め定められた気象要素別の加重値を考慮して設備設定を決定することができる。例えば、午前９時に窓の開閉状態を設定するに当り、室内温度と外部温度によれば窓を開放、湿度によれば窓を閉鎖することで設備設定を決定すると仮定する。この場合、前記加重値が室内温度＞外部温度＞湿度で予め定められていると窓を制御する設備は、窓を開放する設定で決定されることができる。また、前記温度調節装置１００は前記設備設定のスケジューリングについて同一設備間には予め定められた加重値を考慮して行うことができる。例えば、空気調和機が多くの台である場合、予め設定された加重値によって設備設定を変更することができる。また、前記温度調節装置１００は前記同一の設備間の設備運行可否を決定する場合、前記設備の装置情報などを考慮して決定することができる。すなわち、前記設備の設置位置、年式、発熱量などを考慮し、最も効率的に室内温度を調節することができる設備を選択して設備運行可否を決定することができる。このように設備の装置情報などを考慮して設備を制御することによって、エネルギーを節減することができる効果がある。
【００７５】
前記気象要素別の加重値及び同一設備間の加重値はユーザの設定によって獲得されることができる。ユーザは前記ユーザ機器１１０を通じて前記加重値に対する情報を入力することができる。
【００７６】
また、追加的に、前記温度調節装置１００は時間別の設備を設定した情報をさらに空気調和機の設定温度を制御するのに用いることができる。すなわち、任意の時点で室内設備のうちの家電機器の発熱量、制御情報、又は運行情報などを考慮して前記空気調和機の設定温度をスケジューリングしたことを調整することができる。例えば、前記任意の時点での設備制御情報を考慮し、室内設備中で発熱量が高い家電機器を運行するように設定した場合、前記スケジューリングした空気調和機の設定温度をより低く調整することができる。
【００７７】
温度調節装置１００は、前記言及したように空気調和機だけではなく、建物空間に分布されている室内温度に影響を及ぼす室内設備を各空間別のユーザの選好パターン及び設備装置の情報に基づいて連動して個別制御することによって、ユーザの快適さを保障することができる。
【００７８】
図８は、本発明の実施形態による在／不在検出技術を例示する例示図である。
【００７９】
前記温度調節装置１００は室内にユーザの在／不在可否を検出して在／不在可否によって、前記空気調和機及び室内設備の設定を制御することができる。前記温度調節装置１００は室内にユーザがいるか否かを検出する手段で温度調節装置内部のモーション検出センサーを含むことができる。また前記温度調節装置１００は電子設備との接続、室内音検出、室内照度検出などを通じて室内にユーザがいるか否かを検出することができる。前記電子機器はスマートフォーン及びｗｅａｒａｂｌｅ ｄｅｖｉｃｅを含むことができる。ユーザ身体に附着してユーザと温度調節装置を接続する役目をする。ｗｅａｒａｂｌｅ ｄｅｖｉｃｅはメガネ付着型、ブレスレット型、アームバンド型、ペンダント型などの形態であることができる。前記連結は近距離  無線通信を含むことができる。前記近距離無線通信はブルートゥース(登録商標)、ＷＩＦＩ、ＷＩＦＩ-Ｄｉｒｅｃｔ、Ｚｉｇｂｅｅ又はＮＦＣを含むことができる。前記温度調節装置１００は内部に含まれた検出センサーによって室内の音検出及び室内照度を検出することができる。
【００８０】
前記温度調節装置１００は、前記近距離無線通信の接続が切られた場合、在室者がいないことを検出することができる。前記温度調節装置１００は前記無線通信の接続を通じて前記電子機器との距離を測定することができる。また、前記温度調節装置１００は前記測定した距離が予め定められた距離以上の場合、在室者がいないことを検出することができる。また、前記温度調節装置１００は前記測定した距離が予め定められた距離以下の場合、これを検出して前記空気調和機を制御することができる。例えば、在室者がいないことを検出して空気調和機の作動を停止した状態で、ユーザが帰宅などをして温度調節装置１００との距離が一定距離以下となった場合、さらに空気調和機の作動を開始することができる。
【００８１】
前記温度調節装置１００は、内部の音検出センサーで予め定められた音の大きさ(デシベル)のしきい値以下で音が検出される時間が、予め定められたしきい時間以上持続したら在室者がいないことを検出することができる。前記温度調節装置１００は、内部の照度検出センサーで予め定められた照度(ルクス(Ｌｘ))以下で照度が検出される時間が、予め定められたしきい時間以上持続すると、在室者がいないことを検出することができる。前記温度調節装置１００は、予め定められたしきい値及びきれい時間をユーザの設定で獲得することができる。ユーザは前記ユーザ機器１１０を用いて前記しきい値及びしきい時間を前記温度調節装置１００で入力することができる。
【００８２】
前記温度調節装置１００は、前記在／不在可否を検出して在室者がいないと検出時には前記空気調和機の設定温度調節を予め定められたモードで転換する。前記温度調節装置１００は前記予め定められたモードに対する情報をユーザの設定によって獲得することができる。前記予め定められたモードはエネルギー節減モードを含むことができる。前記エネルギー節減モードは前記空気調和機の運行を終了することを含むことができる。
【００８３】
前記温度調節装置１００は、自体のモーション検出センサー以外に音検出、照度検出センサー及び電子機器との接続を用いてユーザの在／不在を検出することができることによって、前記在／不在検出の正確度を向上させることができる。また、前記温度調節装置１００は既存の赤外線を利用したモーション検出技術の限界である建物の大きさ及び構造によって在／不在検出の正確度が劣ることを乗り越えることができる。また、在／不在可否を検出して前記のように予め定められたモードで転換することができることによって不必要なエネルギーの浪費を防止することができる。
【００８４】
図９は、本発明の実施形態による温度調節装置の内部構造を示すブロック図である。
【００８５】
図９のように、温度調節装置１００は通信部９００、センサー部９１０、記憶部９２０、表示部９３０、制御部９４０から構成されることができる。
【００８６】
前記通信部９００はユーザ機器１１０、室内設備１２０、外部サーバー１３０と接続されて温度調節に必要な情報を送信又は受信することができる。前記通信部９００はユーザ機器１１０の接続は近距離無線通信を含むことができる。前記近距離無線通信はブルートゥース(登録商標)、ＷＩＦＩ、ＷＩＦＩ-Ｄｉｒｅｃｔ、Ｚｉｇｂｅｅ又はＮＦＣを含むことができる。
【００８７】
前記通信部９００とユーザ機器１１０の接続は空間内にユーザの在／不在可否を検出するのに用いられることができる。前記通信部９００は室内設備１２０に設備制御情報を送信することができる。前記通信部９００は外部サーバー１３０から温度調節のための情報を受信することができる。前記温度調節のための情報には前記周辺環境状態情報を含むことができる。前記通信部９００は外部サーバー１３０から設備１２０に対する情報を受信することができる。前記設備１２０に対する情報を送信する外部サーバー１３０は設備の製造社のサーバーを含むことができる。前記通信部９００は外部サーバー１３０から気象要素情報を受信することができる。前記気象要素情報を送信する外部サーバー１３０は気象庁のサーバーを含むことができる。
【００８８】
前記センサー部９１０は、前記温度調節装置１００周辺の室内外の気象要素情報を獲得することができる。前記センサー部９１０は、例えば、温度センサー、湿度センサー、照度センサー、動き検出センサー、音検出センサーなどを含むことができる。前記センサー部９１０は前記温度調節装置１００が前記気象要素情報による設定温度値を記憶する場合、前記気象要素情報を測定することができる。前記気象要素情報は、例えば、温度、湿度、日照量、放射熱、気流又は風速のうちに少なくともいずれか一つを含むことができる。また、前記センサー部９１０は前記センサーを用いて空間内にユーザの在／不在可否を検出することができる。
【００８９】
前記記憶部９２０は、前記温度調節装置１００が温度を調節するのに必要な情報を記憶する。前記記憶部９２０は前記獲得した‘気象要素情報に対応する空気調和機の設定温度の履歴情報’を記憶することができる。前記記憶部９２０は‘任意の時点に対する前記気象要素情報’を記憶することができる。前記記憶部９２０はその他の外部サーバー１３０から受信した情報を記憶することができる。
【００９０】
前記表示部９３０は、前記温度調節装置１００が温度を調節するのに必要な情報を表示する。前記表示部９３０は前記センサー部９１０で検出した室内温度、外部温度、湿度、日照量などを表示することができる。前記表示部９３０はスケジューリングされた設定温度情報を表示することができる。前記表示部９３０は前記言及した現在の温度調節モードを表示することができる。前記温度調節モードは、例えば、就寝モード、乳児モード、老弱者モード、妊婦モード、エネルギー節減モードなどを含むことができる。前記表示部９３０は前記スケジューリングされた設定温度情報中で現在設定された温度を表示することができる。前記表示部９３０はユーザからモード選択情報及び前記現在の設定温度情報を受信するためにタッチパッド形態であることを含む。ユーザは前記タッチパッドを通じて前記現在温度設定情報を入力することができる。
【００９１】
前記制御部９４０は、前記温度調節装置１００の温度を調節する方法を制御する。前記制御部９４０は少なくとも一つ以上の気象要素情報に対応する空気調和機の設定温度の履歴情報を獲得し、任意の時点に対する前記気象要素情報を獲得し、前記獲得した設定温度の履歴情報及び前記獲得した気象要素情報に基づいて前記任意の時点に対する前記空気調和機の設定温度をスケジューリングすることを制御する。前記制御部９４０は前記気象要素情報に対応する設備設定履歴情報を獲得し、前記獲得した設定履歴情報及び前記獲得した気象要素情報に基づいて前記設備の設定をスケジューリングすることを制御する。
【００９２】
前記制御部９４０は、少なくとも一つ以上の装置を用いて一定の区域中にユーザがいるか否かを決定し、前記一定の区域中にユーザがいない時に、前記空気調和機の設定温度スケジューリングを予め決定したモードで転換することを制御する。
【００９３】
一方、本明細書及び図面には本発明の好ましい実施形態に対して開示した。たとえ特定用語が用いられたが、これはただ本発明の記述内容を容易に説明して発明の理解を助けるための一般的な意味で用いられたもので、本発明の範囲を限定しようとするものではない。ここに開示された実施形態の以外にも本発明の技術的思想に基づいた他の変形例が実施可能ということは本発明が属する技術分野で通常の知識を有する者に自明なものである。
【符号の説明】
【００９４】
１００  温度調節装置
１１０  ユーザ機器
１２０  室内設備
１３０  外部サーバー
【図１】
2017529509.tif 000005
【図２】
2017529509.tif 000006
【図３】
2017529509.tif 000007
【図４】
2017529509.tif 000008
【図５】
2017529509.tif 000009
【図６】
2017529509.tif 000010
【図７】
2017529509.tif 000011
【図８】
2017529509.tif 000012
【図９】
2017529509.tif 000013
【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
温度調節方法であって、
予め記憶された情報で少なくとも一つ以上の気象要素に対する気象要素情報に対応する空気調和機の設定温度の履歴情報を獲得する段階と、
任意の時点に対する前記気象要素情報を獲得する段階と、
前記獲得した設定温度の履歴情報及び前記獲得した気象要素情報に基づいて前記任意の時点に対する前記空気調和機の設定温度をスケジューリングする段階と、を含むことを特徴とする、温度調節方法。
【請求項２】
前記設定温度の履歴情報を獲得する段階は、
室内の設備に係る情報を考慮した前記設定温度の履歴情報を獲得することを特徴とする、請求項１に記載の温度調節方法。
【請求項３】
前記設定温度の履歴情報を獲得する段階は、
前記少なくとも一つ以上の気象要素情報に対応する空気調和機の設定温度値を獲得する時間区間に対する情報を受信する段階と、
前記時間区間の間の前記気象要素情報と前記気象要素情報に対応する少なくとも一つ以上の設定温度値を獲得する段階と、
前記獲得された気象要素情報に対応する少なくとも一つ以上の設定温度値の、前記気象要素情報による平均値を計算して前記設定温度の履歴情報を獲得する段階と、を含み、
前記気象要素情報を獲得する段階は、
情報提供サーバーから前記任意の時点に対する少なくとも一つ以上の時間別の気象要素情報を受信する段階を含むことを特徴とする、請求項１に記載の温度調節方法。
【請求項４】
前記設定温度の履歴情報を獲得する段階は、
モード設定情報を受信する段階と、
前記モード設定情報に基づいて前記気象要素情報による設定温度の履歴情報を獲得する段階と、を含む、請求項１に記載の温度調節方法。
【請求項５】
前記スケジューリングする段階は、
前記獲得した空気調和機の設定温度の履歴情報及び前記受信した時間別の気象要素情報に基づいて各気象要素に対する時間別の空気調和機の設定温度値の平均値を獲得する段階と、
前記獲得した少なくとも一つ以上の各気象要素に対する時間別の空気調和機の設定温度値の平均値に基づいて前記スケジューリングのための時間別の設定温度を決定する段階と、を含み、
前記スケジューリングのための時間別の設定温度を決定する段階は、
予め決定された各気象要素の加重値を考慮する段階を含み、
前記各気象要素に対する時間別の空気調和機の設定温度値の平均値を獲得する段階は、
前記獲得した空気調和機の設定温度の履歴情報で、前記受信した任意の時点に対する少なくとも一つ以上の時間別の気象要素情報と同一の前記気象要素情報に対応する空気調和機の設定温度値の平均値を抽出する段階と、
前記各気象要素別の抽出段階での時間と前記平均値を対応させて前記各気象要素に対する時間別の空気調和機の設定温度値の平均値を獲得する段階と、を含み、
前記スケジューリングする段階は、
前記記憶した前記気象要素情報に対応する少なくとも一つ以上の設定温度値の分布情報を獲得する段階と、
前記分布情報を考慮して前記スケジューリングした設定温度を調整する段階と、を含むことを特徴とする、請求項３に記載の温度調節方法。
【請求項６】
前記気象要素情報に対応する設備設定の履歴情報を獲得する段階と、
前記獲得した設備設定の履歴情報及び前記獲得した気象要素情報に基づいて前記設備設定をスケジューリングする段階と、を含み、
前記スケジューリングされた設備設定に基づいて、前記スケジューリングされた空気調和機の設定温度を調整することを特徴とする、請求項１に記載の温度調節方法。
【請求項７】
前記調整する段階は、
前記獲得した任意の時点に対する前記気象要素情報のうちの室内温度情報が、前記獲得した時間別の空気調和機の設定温度値の平均値のうちの前記任意の時点での平均値より高い場合、前記任意の時点での平均値に前記分布情報を加えて調整する段階と、
前記獲得した任意の時点に対する前記気象要素情報のうちの室内温度情報が、前記獲得した時間別の空気調和機の設定温度値の平均値のうちの前記任意の時点での平均値より低い場合、前記任意の時点での平均値に前記分布情報を減らして調整する段階と、
前記調整された平均値に基づいて前記スケジューリングのための時間別の設定温度を決定する段階と、を含むことを特徴とする、請求項５に記載の温度調節方法。
【請求項８】
少なくとも一つ以上の装置を用いて一定の区域中にユーザがいるか否かを決定する段階と、
前記一定の区域中にユーザがいない時に、前記空気調和機の設定温度スケジューリングを予め定められたモードで転換する段階と、をさらに含むことを特徴とする、請求項１に記載の温度調節方法。
【請求項９】
温度調節装置であって、
ユーザ機器又は室内設備と情報を受信又は送信する通信部と、
予め記憶された情報で少なくとも一つ以上の気象要素情報に対応する空気調和機の設定温度の履歴情報を獲得し、任意の時点に対する前記気象要素情報を獲得し、前記獲得した設定温度の履歴情報及び前記獲得した気象要素情報に基づいて前記任意の時点に対する前記空気調和機の設定温度をスケジューリングすることを制御する制御部と、を含むことを特徴とする、温度調節装置。
【請求項１０】
前記制御部は、
室内の設備に係る情報を考慮した前記設定温度の履歴情報を獲得することを特徴とする、請求項９に記載の温度調節装置。
【請求項１１】
前記設定温度の履歴情報を獲得することは、
前記少なくとも一つ以上の気象要素情報に対応する空気調和機の設定温度値を獲得する時間区間に対する情報を受信し、前記時間区間の間の前記気象要素情報と前記気象要素情報に対応する少なくとも一つ以上の設定温度値を獲得し、前記獲得された気象要素情報に対応する少なくとも一つ以上の設定温度値の、前記気象要素情報による第２値を計算して前記設定温度の履歴情報を獲得することを含み、
前記気象要素情報を獲得することは、
情報提供サーバーから前記任意の時点に対する少なくとも一つ以上の時間別の気象要素情報を受信することを含み、
前記スケジューリングすることは、
前記獲得した空気調和機の設定温度の履歴情報及び前記受信した時間別の気象要素情報に基づいて各気象要素に対する時間別の空気調和機の設定温度値の平均値を獲得し、前記獲得した少なくとも一つ以上の各気象要素に対する時間別の空気調和機の設定温度値の平均値を基づいて、前記スケジューリングのための時間別の設定温度を決定することを含み、
前記スケジューリングのための時間別の設定温度を決定することは、
予め決定された各気象要素の加重値を考慮することを含み、
前記各気象要素に対する時間別の空気調和機の設定温度値の平均値を獲得することは、
前記獲得した空気調和機の設定温度の履歴情報で、前記受信した任意の時点に対する少なくとも一つ以上の時間別の気象要素情報と同一の前記気象要素情報に対応する空気調和機の設定温度値の平均値を抽出し、前記各気象要素別の抽出段階での時間と前記平均値を対応させて前記各気象要素に対する時間別の空気調和機の設定温度値の平均値を獲得することを含むことを特徴とする、請求項９に記載の温度調節装置。
【請求項１２】
前記設定温度の履歴情報を獲得することは、
モード設定情報を受信し、前記モード設定情報に基づいて前記気象要素情報による設定温度の履歴情報を獲得することを含む、請求項９に記載の温度調節装置。
【請求項１３】
前記制御部は、
前記気象要素情報に対応する設備設定の履歴情報を獲得し、前記獲得した設定履歴情報及び前記獲得した気象要素情報に基づいて前記設備設定をスケジューリングすることを制御し、
前記スケジューリングされた設備設定に基づいて、前記スケジューリングされた空気調和機の設定温度を調整することを特徴とする、請求項９に記載の温度調節装置。
【請求項１４】
前記スケジューリングすることは、
前記記憶した前記気象要素情報に対応する少なくとも一つ以上の設定温度値の分布情報を獲得し、前記分布情報を考慮して前記スケジューリングした設定温度を調整することを含み、
前記調整することは、
前記獲得した任意の時点に対する前記気象要素情報のうちの室内温度情報が、前記獲得した時間別の空気調和機の設定温度値の平均値のうちの前記任意の時点での平均値より高い場合、前記任意の時点での平均値に前記分布情報を加えて調整し、前記獲得した任意の時点に対する前記気象要素情報のうちの室内温度情報が、前記獲得した時間別の空気調和機の設定温度値の平均値のうちの前記任意の時点での平均値より低い場合、前記任意の時点での平均値に前記分布情報を減らして調整し、前記調整された平均値に基づいて前記スケジューリングのための時間別の設定温度を決定することを含むことを特徴とする、請求項１１に記載の温度調節装置。
【請求項１５】
前記制御部は、
少なくとも一つ以上の装置を用いて一定の区域中にユーザがいるか否かを決定し、前記一定の区域中にユーザがいない時に、前記空気調和機の設定温度スケジューリングを予め定められたモードで転換することを制御することを特徴とする、請求項９に記載の温度調節装置。
【国際調査報告】
2017529509.tif 000014
2017529509.tif 000015